(57)【要約】【課題】画面表示装置からの聴感ノイズのない携帯電話端末を提供する。【解決手段】携帯電話端末の液晶表示部１１は液晶表示装置１１１と表示スクリーン１１５とを有し、液晶を挟持する上下の透明絶縁基板を備えた液晶表示装置１１１の上面には第１の透明電極１１２が、表示スクリーン１１５の下面には第２の透明電極１１６が固着されており、それぞれの透明電極１１２、１１６には接地用配線１１３と１１７とが接続されており、接地用配線１１３と１１７の他端は液晶表示装置１１１の底面が固着される配線基板４０の接地電位４１に接続されている。それによって液晶表示装置１１１および表示スクリーン１１５上の静電気は除電され、静電気を誘因とする聴感ノイズが除去される。【選択図】      図２
2004312615.tif 000002
【特許請求の範囲】
【請求項１】
画面表示部から直接発生する雑音の防止機構を備えた携帯電話端末であって、
前記画面表示部は画面表示装置と該画面表示装置に対して間隙を有して対向して配置される表示スクリーンとを有し、
前記画面表示装置の前記表示スクリーンと対向する表面上に透明電極が固着され、該透明電極が前記携帯電話端末内の接地電位と電気的に接続されていることを特徴とする携帯電話端末。
【請求項２】
画面表示部から直接発生する雑音の防止機構を備えた携帯電話端末であって、
前記画面表示部は画面表示装置と該画面表示装置に対して間隙を有して対向して配置される表示スクリーンとを有し、
前記表示スクリーンの前記画面表示装置と対向する表面上に透明電極が固着され、該透明電極が前記携帯電話端末内の接地電位と電気的に接続されていることを特徴とする携帯電話端末。
【請求項３】
画面表示部から直接発生する雑音の防止機構を備えた携帯電話端末であって、
前記画面表示部は画面表示装置と該画面表示装置に対して間隙を有して対向して配置される表示スクリーンとを有し、
前記画面表示装置の前記表示スクリーンと対向する表面上に透明電極が固着され、該透明電極が前記携帯電話端末内の接地電位と電気的に接続され、
さらに、前記表示スクリーンの前記画面表示装置と対向する表面上に透明電極が固着され、該透明電極が前記携帯電話端末内の接地電位と電気的に接続されていることを特徴とする携帯電話端末。
【請求項４】
前記画面表示装置が液晶表示装置である、請求項１から請求項３のいずれか１項に記載の携帯電話端末。
【請求項５】
前記接地電位が前記携帯電話端末内の配線基板に設けられている、請求項１から請求項３のいずれか１項に記載の携帯電話端末。
【請求項６】
携帯電話端末の画面表示部から直接発生する雑音に起因する聴感ノイズを除去する方法であって、
画面表示部を構成する画面表示装置と該画面表示装置に対して間隙を有して対向して配置される表示スクリーンの対向する２面の表面上の少なくともいずれかに透明電極を固着し、該透明電極を前記携帯電話端末内の接地電位と電気的に接続することによって透明電極上の静電気を除電し、該静電気が誘因となる前記聴感ノイズを除去することを特徴とする携帯電話端末の聴感ノイズ除去方法。
【発明の詳細な説明】
【０００１】
【発明の属する技術分野】
本発明は携帯電話端末に関し、特に画面表示部から直接発生する雑音の除去手段を有する携帯電話端末と雑音の除去方法に関する。
【０００２】
【従来の技術】
最近の電子技術の進歩に伴って、携帯電話端末が小型化するとともにインターネットとの接続やデジタル写真組み込みなどのソフト技術面の開発も急速に進み、世界的にもその普及率は急増している。
【０００３】
小型化の要求に伴って従来の送受話器の機能も本体内部に組み込まれ、メール機能の拡大から画面表示部の機能も精密化されているが読み取りのために要求される面積の縮小には限度があることから携帯電話端末に占める画面表示部の大きさの比率は大きくなっており、また、使用上の利便の面から受話器開口部と画面表示部が近接して配置されることが多い。
【０００４】
それに伴って、特に金属メッキ加工を施した操作キーの打鍵の際に操作者から誘起された静電気が操作部に落ち、操作部の裏側にあるプリント基板との間はシート状の絶縁部材で電気的に遮断されていることから静電気はその表面を移動して隣接する液晶表示部との間に放電を生じ画面表示部である液晶表示部を破壊することがあり、特開２００２−２３２５２７号公報には静電気を基準電位パターンに誘導するための配線パターンが操作部と表示部との間に露出されて設けられて放電を防止する方法が開示されている。
【０００５】
また、特開平５−１８８３８８号公報には、画面表示部の液晶表示装置の表面に滞留する静電気が内蔵の電極との間で不所望の電界を形成し表示情報に干渉して生ずる表示欠陥を防止するために、液晶表示素子の上面に設置される偏光板表面に帯電防止層を設け金属フレームと直接接触させる構成が開示されている。
【０００６】
【特許文献１】
特開２００２−２３２５２７号公報
【特許文献２】
特開平５−１８８３８８号公報
【０００７】
【発明が解決しようとする課題】
携帯電話端末の小型精密化によって発生する大型の液晶表示装置とそれに近接して配置される受話器開口部との関係は、さらに新たな問題を発生させている。携帯電話端末では液晶表示装置の表示画面を保護するためにその上方に表示スクリーンが設けられていることが多いが、液晶表示装置自体の表面と表示スクリーンの表面に帯電した静電気を誘因として発生するところの人間の耳が聞き取ることのできる騒音、即ち聴感ノイズの問題である。表面に帯電した静電気は液晶表示装置内部の駆動部におけるスイッチング等の動作に対応し、また、静電気間で静電結合を生ずることにより例えばキーンといった聴感ノイズを発生する。聴感ノイズは小さい音なので操作者が表示画面から離れて操作する機器の場合には問題にならないが、携帯電話端末では受話器開口部を通じてレシーバから受話する場合に操作者は耳を受話器開口部に近付ける必要があり、従って耳が液晶表示部に近づくので聴感ノイズが耳に入り円滑な通話の障害となることがある。
【０００８】
本発明の目的は、画面表示装置からの聴感ノイズのない携帯電話端末を提供することにある。
【０００９】
【課題を解決するための手段】
本発明の携帯電話端末は、
画面表示部から直接発生する雑音の防止機構を備えた携帯電話端末であって、画面表示部は画面表示装置とその画面表示装置に対して間隙を有して対向して配置される表示スクリーンとを有する。画面表示装置の表示スクリーンと対向する表面上に透明電極が固着され、その透明電極が携帯電話端末内の接地電位と電気的に接続されていることを特徴とする。
【００１０】
他の態様では、表示スクリーンの画面表示装置と対向する表面上に透明電極が固着され、その透明電極が携帯電話端末内の接地電位と電気的に接続されていることを特徴とする。
【００１１】
さらに他の態様では、画面表示装置の表示スクリーンと対向する表面上に透明電極が固着され、その透明電極が携帯電話端末内の接地電位と電気的に接続され、さらに、表示スクリーンの画面表示装置と対向する表面上に透明電極が固着され、その透明電極が携帯電話端末内の接地電位と電気的に接続されていることを特徴とする。
【００１２】
画面表示装置が液晶表示装置であってもよく、接地電位が携帯電話端末内の配線基板に設けられていてもよい。
【００１３】
本発明の携帯電話端末の聴感ノイズ除去方法は、
携帯電話端末の画面表示部から直接発生する雑音に起因する聴感ノイズを除去する方法であって、画面表示部を構成する画面表示装置とその画面表示装置に対して間隙を有して対向して配置される表示スクリーンの対向する２面の表面上の少なくともいずれかに透明電極を固着し、その透明電極を携帯電話端末内の接地電位と電気的に接続することによって透明電極上の静電気を除電し、その静電気が誘因となる聴感ノイズを除去する。
【００１４】
以上説明したように本発明の携帯電話端末では、聴感ノイズの誘因となる静電気の発生する液晶表示装置の上面および表示スクリーンの下面の少なくともいずれかに接地された透明電極が固着されているので静電気が除去され、液晶表示装置からの聴感ノイズを除去できる。
【００１５】
【発明の実施の形態】
次に、本発明の実施の形態について図面を参照して説明する。図１は本発明の第１の実施の形態の携帯電話端末の模式的斜視図である。図１では１例として操作部と表示部がヒンジ５０で接続された構成で示されているが、これに限定されるものではなく一体形となっていてもよい。
【００１６】
図１に示すように、本発明の第１の実施の形態の折り畳み式携帯電話端末は、上筐体部１０および下筐体部２０からなり、上筐体部１０の端部の第１のヒンジ３１と下筐体部２０の端部の第２のヒンジ３２とが回転可能に接続されてヒンジ部３０を構成しており、上筐体部１０の片方の面には画像を表示する液晶表示部１１と受話器開口部１２とアンテナ１３とを備え、下筐体部２０の片方の面には４方向キー２１と、制御キー２２と、データキー２３と、送話器開口部２４とを備えており、上筐体部１０の液晶表示部１１を内側にして下筐体部２０のキー面に折り畳み可能である。ここでは画像表示部を液晶表示部として説明するがこれに限定されるものではなく薄型の表示装置であればよい。
【００１７】
図２は本発明の第１の実施の形態の携帯電話端末の液晶表示部１１の模式的分解斜視図であり、液晶表示部１１は液晶表示装置１１１と表示スクリーン１１５とを有し、液晶を挟持する上下の透明絶縁基板を備えた液晶表示装置１１１の上面には第１の透明電極１１２が、表示スクリーン１１５の下面には第２の透明電極１１６が固着されており、それぞれの透明電極１１２、１１６には接地用配線１１３と１１７とが接続されており、接地用配線１１３と１１７の他端は液晶表示装置１１１の底面が固着される配線基板４０の接地電位４１に接続されている。しかし、接地位置はこれに限定されるものではなく透明電極が接地されればよい。
【００１８】
携帯電話端末１は厳しい条件で取り扱われるので、液晶表示装置１１１の表面を傷つける可能性があり、通常その上面には保護のための透明な表示スクリーン１１５が設けられている。表示スクリーン１１５は衝撃を吸収するために液晶表示装置１１１の表面上に間隙を有して設けられている。
【００１９】
液晶表示装置１１１は透明絶縁基板により構成されているのでその上面は通常静電気を帯電しやすく、また表示スクリーン１１５も絶縁状態にあるので同様に静電気を帯電しやすく、特に金属メッキ加工を施した操作キーの打鍵の際に操作者から誘起された静電気が流れ込むこととが多い。
【００２０】
また、図３は保護膜１１８が第１の透明電極１１２の表面に設けられた液晶表示装置１１１の模式的斜視図であり、図４は保護膜１１９ａと保護膜１１９ｂとが表示スクリーン１１５の上面と第２の透明電極１１６の下面とに設けられた表示スクリーン１１５の模式的斜視図である。液晶表示装置１１１あるいは表示スクリーン１１５が部品として供給されるときにはその表面の損傷を防ぐため保護膜１１８、１１９がそれぞれの表面に貼りつけられている。組み立ての際にこの保護膜１１８、１１９を剥離すると静電気が発生し、第１の透明電極１１２の表面、第２の透明電極１１６上と表示スクリーン１１５の上面が帯電する。従来は実装時に除電装置を利用して除電していたが、設備の設置および維持の費用や作業工数の問題があった。
【００２１】
さらに、使用中に清掃のためなどで表示スクリーン１１５の上面が擦られた場合にも表示スクリーン１１５の上面が帯電し一体となっている表示スクリーン１１５の下の第２の透明電極１１６の下面も帯電する。
【００２２】
液晶表示装置１１１の上面や表示スクリーン１１５が帯電すると、表面に帯電した静電気は液晶表示装置内部の駆動部におけるスイッチング等の動作に対応し、また、静電気間で静電結合を生ずることにより例えばキーンやクーンといった聴感ノイズを発生する。聴感ノイズは小さい音なので操作者が表示画面から離れて操作する機器の場合には問題にならないが、携帯電話端末１では図１に示すように受話器開口部１２が液晶表示部１１に近接しており、操作者が耳を受話器開口部１２近づけると同時に耳が液晶表示部１１に近づくので聴感ノイズが耳に入り、円滑な通話の障害となることがある。第１の実施の形態の携帯電話端末１ではこの聴感ノイズを抑制するために、液晶表示装置１１の上面には第１の透明電極１１２が、表示スクリーン１１５の下面には第２の透明電極１１６が固着されており、それぞれの透明電極１１２、１１６には接地用配線１１３と１１７が接続されており、その他端は液晶表示装置１１１の底面が固着される配線基板４０の接地電位４１に接続され、それぞれの透明電極の静電気を除電している。それにより聴感ノズルは除去される。
【００２３】
図５は本発明の第２の実施の形態の携帯電話端末の液晶表示部１１の模式的分解斜視図である。第１の実施の形態と共通する部分には同一の符号を付し説明を省略する。第２の実施の形態では液晶表示装置１１１の上面のみに第１の透明電極１１２が固着されており、表示スクリーン１１５の下面には透明電極が設けられていない。この場合でも液晶表示装置１１１に帯電していた静電気は除去されるので、表示スクリーン１１５が帯電していても静電結合することはなく、聴感ノイズは殆ど発生しない。
【００２４】
図６は本発明の第３の実施の形態の携帯電話端末の液晶表示部１１の模式的分解斜視図である。第１の実施の形態と共通する部分には同一の符号を付し説明を省略する。第３の実施の形態では表示スクリーン１１５の下面には第２の透明電極１１６が固着されているが、液晶表示装置１１１の上面には透明電極が設けられていない。この場合でも表示スクリーン１１５に帯電していた静電気は除去されるので、液晶表示装置１１１が帯電していても静電結合することはなく、聴感ノイズは殆ど発生しない。
【００２５】
このように、液晶表示装置１１１あるいは表示スクリーン１１５のいずれかに接地用の透明電極が配置されていても聴感ノイズは軽減されるが、両方に設けることにより確実に除去できる。
【００２６】
なお、本実施の形態では携帯電話端末を対象として説明したが、スピーカと画面表示装置とが近接して設けられ、画面表示装置に耳を近付ける可能性のある機器は本発明の対象となる。
【００２７】
【発明の効果】
以上説明したように本発明の携帯電話端末では、液晶表示装置からの聴感ノイズを除去できるという効果がある。これは、聴感ノイズの誘因となる静電気の発生する液晶表示装置の上面および表示スクリーンの下面の少なくともいずれかに接地された透明電極が固着されているので静電気が除去されるからである。
【００２８】
また、実装時に除電装置を利用して除電する必要がなく、設備の設置および維持の費用や作業工数を節減できるという効果がある。
【図面の簡単な説明】
【図１】本発明の第１の実施の形態の携帯電話端末の模式的斜視図である。
【図２】本発明の第１の実施の形態の携帯電話端末の液晶表示部の模式的分解斜視図である。
【図３】保護膜が第１の透明電極の表面に設けられた液晶表示装置の模式的斜視図である。
【図４】保護膜が表示スクリーンの上面と第２の透明電極の下面とに設けられた表示スクリーンの模式的斜視図である。
【図５】本発明の第２の実施の形態の携帯電話端末の液晶表示部の模式的分解斜視図である。
【図６】本発明の第３の実施の形態の携帯電話端末の液晶表示部の模式的分解斜視図である。
【符号の説明】
１    携帯電話端末
１０    上部筐体部
１１    液晶表示部
１２    受話器開口部
１３    アンテナ
２０    下筐体部
２１    四方向キー
２２    制御キー
２３    データキー
２４    送話開口部
３０    ヒンジ部
３１    第１のヒンジ
３２    第２のヒンジ
４０    配線基板
４１    接地電位
１１１    液晶表示装置
１１２    第１の透明電極
１１３、１１７    接地用配線
１１５    表示スクリーン
１１６    第２の透明電極
１１８、１１９ａ、１１９ｂ    保護膜
【図１】
2004312615.tif 000003
【図２】
2004312615.tif 000004
【図３】
2004312615.tif 000005
【図４】
2004312615.tif 000006
【図５】
2004312615.tif 000007
【図６】
2004312615.tif 000008